(57)【要約】【課題】放熱効率を向上しながらも、日射の影響を低減できる屋外装置用日除け装置を提供する。【解決手段】発熱源を有する屋外装置の外部に取り付けられ、該屋外装置への日射光を遮る日除け板を有する日除け装置であって、前記日除け板は、複数の開口を有する曲面形状からなり、該曲面形状は前記屋外装置からの放熱が大きい位置においては、前記屋外装置の外面と前記日除け板との間隔が広く、放熱が小さい位置においては、前記屋外装置の外面と前記日除け装置との間隔が狭くなるように形成されていることを特徴とする。【選択図】図２
2012004149.tif 000002
【特許請求の範囲】
【請求項１】
発熱源を有する屋外装置の外部に取り付けられ、該屋外装置への日射光を遮る日除け板を有する日除け装置であって、
前記日除け板は、複数の開口を有する曲面形状からなり、該曲面形状は前記屋外装置からの放熱が大きい位置においては、前記屋外装置の外面と前記日除け板との間隔が広く、放熱が小さい位置においては、前記屋外装置の外面と前記日除け装置との間隔が狭くなるように形成されていることを特徴とする屋外装置用日除け装置。
【請求項２】
発熱源を有する屋外装置の外部に取り付けられ、該屋外装置への日射光を遮る日除け板を有する日除け装置であって、
前記日除け板は複数の開口を有する曲面形状からなり、
前記複数の開口のサイズは、前記屋外装置からの放熱が大きい位置においては大きく、放熱が小さい位置においては小さく、且つ、
前記曲面形状は前記屋外装置からの放熱が大きい位置においては、前記屋外装置の外面と前記日除け板との間隔が広く、放熱が小さい位置においては、前記屋外装置の外面と前記日除け装置との間隔が狭くなるように形成されていることを特徴とする屋外装置用日除け装置。
【請求項３】
発熱源を有する屋外装置の外部に取り付けられ、該屋外装置への日射光を遮る日除け板を有する日除け装置であって、
前記日除け板は、複数の開口を有し、該複数の開口のサイズは、前記屋外装置からの放熱が大きい位置においては大きく、放熱が小さい位置においては小さいことを特徴とする屋外装置用日除け装置。
【発明の詳細な説明】
【技術分野】
【０００１】
本発明は、発熱源を有する屋外装置に日除けとして取り付けられる屋外装置用日除け装置に関する。
【背景技術】
【０００２】
屋外に配置される屋外装置（例えば、基地局装置）は、日射の影響を免れない。日射等の影響により、基地局装置の温度が上昇すれば、その性能が劣化してしまう。そこで、例えば、特許文献１のように、基地局装置の周囲に覆い被せるように、箱型の日除け装置を設置することが考えられる（図５）。この日除け装置１１は、正面や側面等に位置する日除け板１１ａを供える。
【０００３】
また、基地局装置などの屋外装置の内部には、例えば、パワーアンプ等の発熱源となりうる放熱の大きい部品が配置され、熱がこもりやすい。そこで、日除け板１１ａは、空気の出入りを促すためのスリットを有する。スリットの上側には、図６の部分拡大断面図に示すような、日除けのためのフィン１２を備える。フィン１２と日除け板１１ａとの間を経て、スリットを通じて空気が日除け装置１１に出入りし、基地局装置からの放熱を促進する。
【先行技術文献】
【特許文献】
【０００４】
【特許文献１】特開２００６−２５７８０７号公報
【発明の概要】
【発明が解決しようとする課題】
【０００５】
しかしながら、従来の日除け装置１１においては、スリットのサイズは一様であるが、基地局装置からの放熱は、装置全体で均等ではなく、むしろ、装置内の放熱部品の配置に依存して、放熱の大きい箇所と小さい箇所が基地局装置内に偏在する。放熱が大きく、空気の流れの激しい箇所に対応するスリットのサイズと、放熱が比較的小さく空気の流れの小さい箇所のスリットのサイズが同一であれば、放熱が大きい箇所ではスリットのサイズがボトルネックとなって空気の流れを阻害するおそれがある。逆に、放熱を促進するために、全てのスリットの開口を大きくすることも考えられるが、日射等の影響を受けやすくなってしまう。
【０００６】
かかる点に鑑みてなされた本発明の目的は、放熱効率を向上しながらも、日射の影響を低減できる屋外装置用日除け装置を提供することを目的とする。
【課題を解決するための手段】
【０００７】
上記目的を達成する第１の観点に係る、屋外装置用日除け装置の発明は、
発熱源を有する屋外装置の外部に取り付けられ、該屋外装置への日射光を遮る日除け板を有する日除け装置であって、
前記日除け板は、複数の開口を有する曲面形状からなり、該曲面形状は前記屋外装置からの放熱が大きい位置においては、前記屋外装置の外面と前記日除け板との間隔が広く、放熱が小さい位置においては、前記屋外装置の外面と前記日除け装置との間隔が狭くなるように形成されていることを特徴とするものである。
【０００８】
上記目的を達成する第２の観点に係る、屋外装置用日除け装置の発明は、
発熱源を有する屋外装置の外部に取り付けられ、該屋外装置への日射光を遮る日除け板を有する日除け装置であって、
前記日除け板は複数の開口を有する曲面形状からなり、
前記複数の開口のサイズは、前記屋外装置からの放熱が大きい位置においては大きく、放熱が小さい位置においては小さく、且つ、
前記曲面形状は前記屋外装置からの放熱が大きい位置においては、前記屋外装置の外面と前記日除け板との間隔が広く、放熱が小さい位置においては、前記屋外装置の外面と前記日除け装置との間隔が狭くなるように形成されていることを特徴とするものである。
【０００９】
上記目的を達成する第３の観点に係る、屋外装置用日除け装置の発明は、
発熱源を有する屋外装置の外部に取り付けられ、該屋外装置への日射光を遮る日除け板を有する日除け装置であって、
前記日除け板は複数の開口を有し、該複数の開口のサイズは、前記屋外装置からの放熱が大きい位置においては大きく、放熱が小さい位置においては小さいことを特徴とするものである。
【発明の効果】
【００１０】
本発明によれば、放熱効率を向上しながらも、日射の影響を低減できる屋外装置用日除け装置を提供することが可能である。
【図面の簡単な説明】
【００１１】
【図１Ａ】本発明の第１実施形態に係る日除け装置を装着した基地局装置を示す図である。
【図１Ｂ】本発明の第１実施の形態に係る日除け装置を備える、発熱源を有する基地局装置の放熱状態を示す図である。
【図２】本発明の第１実施の形態に係る日除け装置の斜視図である。
【図３】本発明の第２実施の形態に係る日除け装置の斜視図である。
【図４】本発明の第３実施の形態に係る日除け装置の斜視図である。
【図５】従来の日除け装置の一例を示す図である。
【図６】従来の日除け装置の一例の部分拡大断面図である。
【発明を実施するための形態】
【００１２】
以下、本発明の実施の形態について、図を参照して説明する。
【００１３】
[第１実施の形態]
図１Ａは、本発明の第１実施の形態に係る日除け装置を装着した基地局装置を示す図である。基地局装置１は、典型的には直方体であり、面積の大きい２つの面が上下となるように設置するか（平おき設置）、又は面積の大きい２つの面が前後となるように設置する（吊り下げ設置もしくは縦置き）ことが一般的である。図１Ａは、平おき設置した基地局装置１を垂直面から見た図である。基地局装置１は、設置面Ｇに対して固定されている。また、基地局装置１は、天板から離して日除け装置２を備える。
【００１４】
図１Ｂは、本発明の第１実施の形態に係る日除け装置を装着した基地局装置からの放熱状態を示す温度分布図である。基地局装置１の天板内部の中央には、例えば、パワーアンプのような放熱の大きい構成部品が配置され、基地局の内部及び天板付近の温度を上昇させる。基地局装置１において、パワーアンプ等の熱源は天板中央部に配置されている。このため、基地局装置１の天板中央部の上方をピークに、比較的高温の空気が山型に分布しており、基地局装置１は、中央部で放熱が大きく、端部で放熱が小さい状態にある。
【００１５】
また、日除け装置２は、基地局装置１の天板中央部より発生した上昇気流を阻害しないように、即ち、放熱効果が損なわれないように形成されている。そこで、以下に、図２に示す斜視図を参照して日除け装置２について説明する。
【００１６】
日除け装置２は、例えば、金属や樹脂などで構成され、基地局装置１の上面から離して配置される。日除け装置２は、日除け板３からなり、日除け板３は複数の開口部４を有する。複数の開口部４は、基地局装置１の放熱が大きい天板中央部で最も大きく、放熱の小さい天板端部に近づくに従って段階的に小さくなるように構成されている。
【００１７】
本実施の形態に係る日除け装置２は、基地局装置１からの放熱が大きい中央部において開口部４のサイズが大きいので、熱せられた空気の上昇を妨げ難い。また、熱せられた空気が上昇すると同時に、日除け板３の外部から冷気が流入する。したがって、基地局装置１の周囲において空気が対流する。このように、日除け装置２によれば、空気が対流するので、基地局装置１の放熱効率を高く維持することができる。
【００１８】
[第２実施の形態]
図３は、本発明の第２実施形態に係る日除け装置の斜視図である。日除け装置５は、図１Ａに示した基地局装置１に使用するもので、基地局装置１の天板から離して配置される。日除け装置５は、日除け板６からなり、日除け板６は、複数の開口部７を有し、且つ、曲面形状からなる。曲面形状は、基地局装置１の放熱がもっとも大きい中央部において日除け装置３と基地局装置１との間の距離が最も大きくなるように構成されている。これにより、熱せられた空気が滞ることなく効率良く、日除け板６の外に放出されるようになり、基地局装置１からの放熱効率を高く維持することができる。
【００１９】
[第３実施の形態]
図４は、本発明の第３実施形態に係る日除け装置である。日除け装置８は、図１Ａに示した基地局装置１に使用するもので、基地局装置１の天板から離して配置される。日除け装置８は、日除け板９からなり、日除け板９は、複数の開口部１０を有し、且つ曲面形状からなる。曲面形状は、日除け板６と同様に、基地局装置１の放熱がもっとも大きい中央部において日除け装置３と基地局装置１との間の距離が最も大きくなるように構成されている。また、複数の開口部１０は、日除け板３と同様に、中央部で大きく、端部に近づくにつれてサイズが小さくなるように構成する。これにより、熱せられた空気が滞ることなく、さらに効率良く、日除け板６の外に放出されるようになり、基地局装置１からの放熱効率をさらに高く維持することができる。
【００２０】
以上、本発明の幾つかの実施形態による日除け装置について説明してきたが、当業者であれば本開示に基づき種々の変形や修正を行うことが容易であることに注意されたい。例えば、上述の実施の形態において、開口部に図６に示したようなフィン１２を設けることも可能である。
【００２１】
また、平おき設置した基地局装置に取り付ける日除け装置について言及してきたが、吊り下げ設置した基地局装置に日除け装置を取り付けることも可能である。
【符号の説明】
【００２２】
１  基地局装置
２、５、８、１１  日除け装置
３、６、９  日除け板
４、７、１０  開口部
１１ａ  日除け板
１２  フィン
【図１Ａ】
2012004149.tif 000003
【図２】
2012004149.tif 000004
【図３】
2012004149.tif 000005
【図４】
2012004149.tif 000006
【図５】
2012004149.tif 000007
【図６】
2012004149.tif 000008
【図１Ｂ】
2012004149.tif 000009